(57)【要約】【課題】尿のような低粘性液体の吸収に適したパッド型吸収性物品を提供する。【解決手段】トップシート３と、バックシート２と、これらの間に挟まれた吸収体４と、両側部にそれぞれ設けられた弾性伸縮部材５とを有するパッド型吸収性物品１に対して、吸収体４の前端部および後端部間に、前端部および後端部よりも幅の狭い括れ部分４Ｕを設けるとともに、弾性伸縮部材５を、括れ部分４Ｕの側縁から側方に離間した位置を通り前後方向に延在させる。【選択図】図１
2006122635.tif 000002
【特許請求の範囲】
【請求項１】
トップシートと、バックシートと、これらの間に挟まれた吸収体と、両側部にそれぞれ設けられた弾性伸縮部材とを有するパッド型吸収性物品であって、
前記吸収体は、前端部と、後端部と、前端部および後端部間に設けられた、前端部および後端部よりも幅の狭い括れ部分とを有し、
前記弾性伸縮部材は、前記括れ部分の側縁から側方に離間した位置を通り前後方向に延在されている、
ことを特徴とするパッド型吸収性物品。
【請求項２】
前記弾性伸縮部材は、前端部及び後端部では吸収体と重なるように配置されている、請求項１記載のパッド型吸収性物品。
【請求項３】
前記括れ部分の側縁は曲線状をなしており、前記弾性伸縮部材は前記括れ部分の側縁に沿って曲線状に設けられている、請求項１または２記載のパッド型吸収性物品。
【請求項４】
前記弾性伸縮部材は各側部に複数列設けられるとともに、各側部の弾性伸縮部材のうち幅方向外側の弾性伸縮部材の伸縮力が幅方向内側の弾性伸縮部材の伸縮力よりも大きい、請求項１〜３のいずれか１項に記載のパッド型吸収性物品。
【請求項５】
前記吸収体のトップシート側面に、前後方向に沿う圧搾凹部および幅方向に沿う圧搾凹部の少なくとも一方が設けられている、請求項１〜４のいずれか１項に記載のパッド型吸収性物品。
【請求項６】
周縁部を除く中央側部分に補強部材が設けられている、請求項１〜５のいずれか１項に記載のパッド型吸収性物品。
【請求項７】
前記吸収体のトップシート側面における排泄位置の前側および後側に、幅方向に沿う前圧搾凹部および後圧搾凹部がそれぞれ設けられるとともに、吸収体の前端縁と前記前圧搾凹部との間にある折り目を境にその前側が排泄位置側に折り返され、かつ吸収体の後端縁と前記後圧搾凹部との間にある折り目を境にその後側が排泄位置側に折り返されている、請求項１〜６のいずれか１項に記載のパッド型吸収性物品。
【請求項８】
バックシートに糸ゴムを固定する工程と、
前後方向中間部に括れ部分を設けた吸収体を前記バックシート上側に供給し、前記糸ゴムが前記括れ部分の側縁から側方に離間した位置を通り前後方向に延在するように前記吸収体を前記バックシート上側に配置する工程と、
前記吸収体の上側にトップシートを重ねて固定する工程と、
を含むことを特徴とするパッド型吸収性物品の製造方法。
【発明の詳細な説明】
【技術分野】
【０００１】
本発明は、フィット性に優れ、特に尿のような低粘性液体に対して漏れ難いパッド型吸収性物品ならびにその製造方法に関するものである。
【背景技術】
【０００２】
従来から、軽失禁における尿を吸収するためのパッド型吸収性物品が各種市販されている。これら従来品は、おりもの用吸収パッドや生理用ナプキンと基本的に同様に、トップシート面を身体に密着させて吸収することを意図した構成となっている。また、装着時の外観上の違和感を無くすために、薄さも要求されている。
【０００３】
しかしながら、従来のパッド型吸収性物品は、おりものや経血のように粘性の高い液体の吸収には適するが、尿のように粘性が低く排泄速度も高い液体に対しては吸収が追いつかずに漏れてしまうことがあった。
【特許文献１】特開２０００−３３３９８７号公報
【発明の開示】
【発明が解決しようとする課題】
【０００４】
そこで、本発明の主たる課題は、尿のような低粘性液体の吸収に適したパッド型吸収性物品を提供することにある。
【課題を解決するための手段】
【０００５】
上記課題を解決した本発明は次記のとおりである。
＜請求項１記載の発明＞
トップシートと、バックシートと、これらの間に挟まれた吸収体と、両側部にそれぞれ設けられた弾性伸縮部材とを有するパッド型吸収性物品であって、
前記吸収体は、前端部と、後端部と、前端部および後端部間に設けられた、前端部および後端部よりも幅の狭い括れ部分とを有し、
前記弾性伸縮部材は、前記括れ部分の側縁から側方に離間した位置を通り前後方向に延在されている、
ことを特徴とするパッド型吸収性物品。
【０００６】
（作用効果）
従来のパッド型吸収性物品は、トップシート面を身体に密着させることを想定していた。しかし、このようなパッド型吸収性物品では、トップシート面と身体とが密着してスペースが少なくなるために、排泄された尿を即座に吸収できないときには、尿の逃げ場が無くなり、漏れが発生してしまうことになる。
【０００７】
これに対して、本発明のパッド型吸収性物品では、弾性伸縮部材の収縮力による変形作用が吸収体自体の剛性によって阻害される阻害作用は、吸収体の括れ部分に近づくほど弱くなる。これは、吸収体自体の幅が減少することと、吸収体と弾性伸縮部材との距離が離れることによるものである。その結果、本発明のパッド型吸収性物品では、弾性伸縮部材の収縮力が前側、後側および両側を反り上げるように作用し、全体として舟形形状になる。そして、このような形状のパッド型吸収性物品を下着の股間部に装着して使用した場合、物品の周縁部は肌に密着するものの中央側部分は肌から離間したスペース（以下、ポケット部という）となるため、排泄された尿の一部が即座に吸収されなくても、その尿はポケット部に一時的に貯留される。よって尿の逃げ場が無くなることがないため、漏れが発生し難くなるのである。
【０００８】
また、本発明は、非常に構成が簡素であり、薄型化を阻害するようなこともなく、製造も容易な点も重要である。
【０００９】
＜請求項２記載の発明＞
前記弾性伸縮部材は、前端部及び後端部では吸収体と重なるように配置されている、請求項１記載のパッド型吸収性物品。
【００１０】
（作用効果）
本発明では、弾性伸縮部材の収縮力は吸収体の前端部および後端部を互いに近付けるように作用する。この際、本項記載のように構成されていると、弾性伸縮部材の収縮力は吸収体の前後端部に対してより直接的に作用する。よって、より深いポケット部が形成されるようになる。
【００１１】
＜請求項３記載の発明＞
前記括れ部分の側縁は曲線状をなしており、前記弾性伸縮部材は前記括れ部分の側縁に沿って曲線状に設けられている、請求項１または２記載のパッド型吸収性物品。
【００１２】
（作用効果）
本項記載のように弾性伸縮部材が曲線状に設けられていると、前後方向に沿って収縮力が作用するだけでなく、直線状に設けられている場合と比べて幅方向に作用する収縮力が増加する。その結果、両側部がより高く反り上がることになり、より深いポケット部が形成されるようになる。
【００１３】
＜請求項４記載の発明＞
前記弾性伸縮部材は各側部に複数列設けられるとともに、各側部の弾性伸縮部材のうち幅方向外側の弾性伸縮部材の伸縮力が幅方向内側の弾性伸縮部材の伸縮力よりも大きい、請求項１〜３のいずれか１項に記載のパッド型吸収性物品。
【００１４】
（作用効果）
弾性伸縮部材を複数列設ける場合、外側ほど伸縮力を大きくすることによって、製品の反りが円滑になり、フィット性も高くなる。
【００１５】
＜請求項５記載の発明＞
前記吸収体のトップシート側面に、前後方向に沿う圧搾凹部および幅方向に沿う圧搾凹部の少なくとも一方が設けられている、請求項１〜４のいずれか１項に記載のパッド型吸収性物品。
【００１６】
（作用効果）
吸収体のトップシート側面に圧搾凹部を設けるとその部分が谷折りされ易くなる。よって、前述の反り形状がより容易に形成できるようになる。
【００１７】
＜請求項６記載の発明＞
周縁部を除く中央側部分に補強部材が設けられている、請求項１〜５のいずれか１項に記載のパッド型吸収性物品。
【００１８】
（作用効果）
このような補強部材により中央側部分の反りが防止され、中央側部分が平坦に近い舟形形状が形成される。このような平坦な部分はより広い面で一様に吸収できるため、尿の一部を一時的に貯留する場合においても、より迅速に吸収できる利点がある。
【００１９】
＜請求項７記載の発明＞
前記吸収体のトップシート側面における排泄位置の前側および後側に、幅方向に沿う前圧搾凹部および後圧搾凹部がそれぞれ設けられるとともに、吸収体の前端縁と前記前圧搾凹部との間にある折り目を境にその前側が排泄位置側に折り返され、かつ吸収体の後端縁と前記後圧搾凹部との間にある折り目を境にその後側が排泄位置側に折り返されている、請求項１〜６のいずれか１項に記載のパッド型吸収性物品。
【００２０】
（作用効果）
パッド型の吸収性物品では、製品を折り畳んで包装する形態が採用されることがある。本項記載の発明は、このような折り畳みにおける折り目の位置を、前後圧搾凹部の前側および後側とすることにより、製品包装の折り畳みによる変形を利用してより深いポケット部を形成できるようになるものである。
【００２１】
＜請求項８記載の発明＞
バックシートに糸ゴムを固定する工程と、
前後方向中間部に括れ部分を設けた吸収体を前記バックシート上側に供給し、前記糸ゴムが前記括れ部分の側縁から側方に離間した位置を通り前後方向に延在するように前記吸収体を前記バックシート上側に配置する工程と、
前記吸収体の上側にトップシートを重ねて固定する工程と、
を含むことを特徴とするパッド型吸収性物品の製造方法。
【００２２】
（作用効果）
このような工程を経ることによって、容易に、上記本発明のパッド型吸収性物品を製造することができる。
【発明の効果】
【００２３】
以上のとおり、本発明によれば、尿のような低粘性液体の吸収に適したパッド型吸収性物品となる。
【発明を実施するための最良の形態】
【００２４】
以下、本発明の一実施形態について添付図面を参照しながら詳説する。
図１は本発明に係るパッド型吸収体例１の展開図、図２は図１のII−II断面図、図３は図１のIII−III断面図、図４は自身の変形作用のみによって変形した状態の側面図、図５は同変形状態の平面図、図６は同変形状態の正面図である。
【００２５】
このパッド型吸収体例１は、尿等の対象となる体液を透過させない不透液性のバックシート２と、対象の体液を速やかに透過させる透液性のトップシート３と、これら両シート２，３間にあって体液を吸収保持する吸収体４と、両側部にそれぞれ設けられた弾性伸縮部材５と、両側部の長手方向全体にわたり、トップシート３の外面からバックシート２の外面まで側縁を回り込むサイドシート６とから構成されているものである。
【００２６】
吸収体４の周囲において、その上下端縁部では、バックシート２とトップシート３との外縁部がホットメルトなどの接着剤やヒートシール等の接着手段によって接合され、またその両側縁部では吸収体４よりも側方に延出しているバックシート２とサイドシート６とがホットメルトなどの接着剤やヒートシール等の接着手段によって接合されている。またトップシート３の裏面と吸収体表面、ならびにトップシート３の両側端部上面とサイドシート６が、それぞれにホットメルトなどの接着剤やヒートシール等の接着手段によって接合されている。
【００２７】
バックシート２としては、ポリエチレンシートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とでバックシートを構成する。）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２８】
また、トップシート３としては、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。図示の例では、前記トップシート３は、表面側の多孔性プラスチックシート３Ａと、裏面側に親水性不織布３Ｂとによる２層構成となっている。
【００２９】
また、吸収体４としては、たとえばフラッフ状パルプと吸水ポリマーとを成形してなるものが好適に用いられる。吸水性ポリマーは吸収体を構成するパルプ中に例えば粒状粉として混入することができる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用できる。
【００３０】
また、サイドシート６は、両側縁のトップシートとバックシートとの間から、またトップシートの側部を伝って体液が滲み出るのを防止するために設けられるものである。よって、シリコン系、パラフィン系、アルキルクロミッククロリド系撥水剤などをコーティングした撥水処理不織布を用いて構成するのが好ましいが、これに限定されるものではない。
【００３１】
そして、特徴的には、吸収体４の前端部と後端部との間に、前端部および後端部よりも幅の狭い括れ部分４Ｕが設けられるとともに、弾性伸縮部材５が、括れ部分４Ｕの側縁から側方に離間した位置を通り前後方向に前端部および後端部まで延在されている。吸収体４の括れ部分４Ｕの形状は適宜定めることができるが、括れ部分４Ｕは折れ線状よりも円弧状等の曲線状が好ましい。また、括れの度合いは適宜定めることができるが、吸収体４の括れ部分４Ｕの最小幅Ｗ２は、吸収体の最大幅Ｗ１に対して６０〜９５％であるのが好ましく、７０〜８５％であるとさらに好ましい。さらに括れ部分４Ｕの前後方向長さＬ１は、吸収性物品の全体の長さＬ２に対して１０〜７０％であるのが好ましく、３０〜５０％であるとさらに好ましい。
【００３２】
弾性伸縮部材５としては、糸状、帯状等の連続状をなしたゴム材を好適に用いることができる。弾性伸縮部材５は隣接部材、すなわちバックシート２や、トップシート３、サイドシート６に対して伸張状態でホットメルト接着剤等により接着固定することにより、吸収性物品１の両側部に対して前後方向の収縮力が作用する。弾性伸縮部材５と括れ部分４Ｕとの離間距離Ｘは、１ｍｍ以上、特に１〜１０ｍｍの範囲内にあるのが好ましい。また、弾性伸縮部材５は、図示形態では片側あたり２本設けているが、１本または３本以上であっても良い。弾性伸縮部材１３のテンションは、１００〜３００％、好ましくは１５０％程度とするのがよい。
【００３３】
かくして構成されたパッド型吸収性物品１では、弾性伸縮部材５の収縮力による変形作用が両側部の前後方向全体に及ぶものの、弾性伸縮部材５が吸収体４に近いところ程、吸収体４自体の剛性によって変形が阻害される。その結果、このパッド型吸収性物品１では、図４及び図６に示されるように、弾性伸縮部材５の収縮力によって前側、後側および両側が顕著に反り上がり、全体として舟形形状になるのである。そして、このような形状のパッド型吸収性物品１を下着の股間部に装着して使用した場合、吸収性物品１の周縁部は肌に密着するものの中間部は肌から離間してポケット部を形成するため、排泄された尿の一部が即座に吸収されなくても、その尿はポケット部に一時的に貯留され、尿の逃げ場が無くなることがないため、漏れが発生し難くなるのである。
【００３４】
本発明の弾性伸縮部材５は括れ部分４Ｕと対応する前後方向範囲にのみ設けられていたり、前端部および後端部においても吸収体４の側縁から離間されたりしていても良いが、図示形態のように、前端部及び後端部では、弾性伸縮部材５が吸収体４と重なるように配置されていると、図４に示されるように、弾性伸縮部材５の収縮力が吸収体４の前後端部に対してより直接的に作用し、吸収体がより強く反り上がり、股下部により深いポケット部を形成できるようになり、漏れ防止効果に一段と優れるようになるため好ましい。
【００３５】
また、弾性伸縮部材５は直線状に設けることもできるが、図示形態のように前後方向中間部では弾性伸縮部材５を括れ部分４Ｕの側縁に沿って曲線状に設けると、直線状に設けられている場合と比べて幅方向に作用する収縮力が増加する結果、両側部がより高く反り上がることになり、より深いポケット部が形成されるようになる。
【００３６】
さらに、図示形態のように、弾性伸縮部材５を各側部に複数列設ける場合、各側部の弾性伸縮部材５のうち幅方向外側の弾性伸縮部材５の伸縮力を幅方向内側のそれ以下となるようにテンションを設定することもできるが、反対に幅方向外側の弾性伸縮部材５の伸縮力を幅方向内側のそれよりも大きくした方が製品の反りが円滑になり、フィット性も高くなるため好ましい。また、図示形態のように、吸収体４が反り上がり部分（起立部分）まで延在していると、ポケット部の内周側面においても吸収がなされるため、漏れ防止効果が高くなる。
【００３７】
本発明の特長である反りをより確実なものとし且つ効果的な形状とするために、吸収体４のトップシート３側面に、前後方向に沿う圧搾凹部７Ａ，７Ｂおよび幅方向に沿う圧搾凹部８Ａ，８Ｂの少なくとも一方を設けることができる。吸収体４のトップシート３側面に圧搾凹部７Ａ、７Ｂ、８Ａ、８Ｂを設けるとその部分が弾性伸縮部材５の収縮力によって鋭角に谷折りされ、より深いポケット部が形成されるようになる。
【００３８】
特に図示形態のように、排泄位置を跨ぐ両側部にそれぞれ、略前後方向に沿って延在する弧状のサイド圧搾凹部７Ａ，７Ｂが形成されるとともに、排泄位置の前側および後側に略幅方向に沿って延在する弧状の前後圧搾凹部８Ａ，８Ｂが形成されていると、これらで囲まれた中央部分は平坦に近くなり、その周縁から急激に反り上がる形状となる。特に、サイド圧搾凹部７Ａ，７Ｂは幅方向中央側に膨らむ弧状をなしていると、これよりも側縁側の部分に対して弾性伸縮部材５の収縮力が弧状に作用する結果、物品の前後方向中間部が幅方向に括れ易くなり、股間に対するフィット性が良好となる。サイド圧搾凹部７Ａ，７Ｂの幅方向の間隔は、歩行時の股間幅、具体的には４０〜６０ｍｍ程度であるとヨレ防止の観点から好ましい。また、サイド圧搾凹部７Ａ，７Ｂから物品の側縁までの距離Ｓ（図２参照）は適宜定めれば良いが、ポケット部の深さを定めるものであるため、１０ｍｍ以上、特に１０〜３０ｍｍであるのが好ましい。
【００３９】
なお、これらの圧搾凹部７Ａ、７Ｂ、８Ａ、８Ｂによって効果的に吸収体４を折曲げできるようにするためには、吸収体４は極力薄い方が好ましい。具体的には吸収体４の厚みは０．５〜２．５ｍｍ程度であるのが好ましい。また、圧搾凹部７Ａ、７Ｂ、８Ａ、８Ｂの形成手法としては、トップシート３を吸収体４上に重ねた状態で、トップシート３の上から吸収体４までを含めて一体的にエンボス加工を施すようにする他、予め吸収体４のみにエンボス加工を施しておき、トップシート３にはエンボス加工を施さないようにすることもできる。さらに、圧搾凹部７Ａ、７Ｂ、８Ａ、８Ｂの形状としては、吸収体４が折れ曲がり易くなる限りにおいて、連続線状の圧搾により連続溝状の凹部を形成しても良いし、多数の点状の圧搾凹部を適宜の間隔をもって列状に形成し、実質的に連続するまたは不連続の凹部を形成しても良い。
【００４０】
パッド型の吸収性物品では、製品を折り畳んで包装する形態が採用されることがある。本発明は折り畳みの有無や折線の位置等により限定されるものではないが、折り畳みを行う場合には、図１に示すように、吸収体４の前端縁と前圧搾凹部８Ａとの間にある折り目９Ａを境にその前側を排泄位置側に折り返し、かつ吸収体４の後端縁と後圧搾凹部８Ｂとの間にある折り目９Ｂを境にその後側を排泄位置側に折り返すことにより、折り畳むように構成するのが好ましい。この場合、製品包装を目的とした折り畳みにおける折り目の変形をしてより深いポケット部を形成できるようになる。また、前圧搾凹部８Ａ及び後圧搾凹部８Ｂを境に折り返す形態も好ましい。この場合、圧搾凹部８Ａ，８Ｂが折線となるため、見栄えがすっきりする等の利点がある。
【００４１】
一方、吸収性物品１の略全体が均一な剛性を有していると、均一に反りが発生し、排泄位置が最も深くなる円弧状曲面が形成され易くなる。この場合、体液が一箇所に集合し易くなり、吸収速度が遅くなり易い。よってこれを解消するために、周縁部を除く中央側部分にシート状の補強部材１０を設けることにより、図４及び図５に示すように、中央側部分の反りを防止して、中央側部分が平坦に近い舟形形状をなすように構成するのも好ましい。このような平坦な部分はより広い面で一様に吸収できるため、尿の一部を一時的に貯留する場合においても、より迅速に吸収できる利点がある。このような補強部材１０のサイズは、吸収性物品のサイズに対して長さが２０〜９０％、特に４０〜７０％であるのが好ましく、幅が２０〜７０％、特に３０〜５０％であるのが好ましく、また排泄位置をカバーするように配置するのが好ましい。補強部材１０としては、坪量が６０〜１５０ｇ／ｍ2程度の不織布が好適である。この場合、不織布の繊維の太さは２〜３ｄｔｅｘが好適であり、繊維密度としては０．１５ｇ／ｃｍ3が好適である。不織布の繊維の種類は、特に限定されないが、再生繊維・半合成繊維・合成繊維・無機質繊維等の化学繊維や、芯がポリプロピレンで鞘がポリエチレンからなる芯鞘型複合繊維等の各種熱可塑性複合繊維を好適に用いることができる。また、不織布の製法も特に限定されず、ケミカルボンド不織布、サーマルボンド不織布、スパンレース不織布、エアレイド不織布等の乾式（カード法）タイプの他、湿式タイプの不織布であっても良く、スパンボンド不織布、メルトブロー不織布等であっても良い。補強部材１０として不織布を用いると、剛性の向上のみならず、不織布による体液吸収保持効果を発揮させることも可能である。体液吸収保持の観点から、補強部材１０を構成する不織布の表面または内部に吸水ポリマー粒子を保持させたり、繊維表面を吸水ポリマーによりコートしたりすることもできる。
【００４２】
また、前述したとおり、本発明のパッド型吸収性物品では周縁部が身体にフィットして漏れに対する最後の防御壁となることから、物品および部材の形状・サイズとともに、前述の種々の構成を組み合わせて設計することにより、自身の変形作用のみによって（つまり、折り畳む等していない使用時と同様の状態で、かつ外力を受けない自由な状態で）、図６に示すように前後方向中間部が幅方向に括れた部分１Ｕを有する形状となるように構成するのが好ましい。しかし、もちろん本発明はこれに限定されるものではない。
【００４３】
他方、本発明のパッド型吸収体物品１は、例えば次のような工程を経ることによって、容易に製造することができる。すなわち、先ずバックシート２の所定位置に糸ゴム等の弾性伸縮部材５を固定する。この一方で前後方向中間部に括れ部分４Ｕを設けた吸収体４を製造する。そして、括れ部分４Ｕを設けた吸収体４をバックシート２上に供給し、弾性伸縮部材５が括れ部分４Ｕの側縁から側方に離間した位置を通り前後方向に延在するように吸収体４をバックシート２上に配置した後、吸収体４の上側にトップシート３を重ねて固定するようにする。
【実施例】
【００４４】
（実施例１）
補強部材１０を有しないこと以外は図１に示す形態と同様の本発明に係るパッド型吸収性物品を製造した。なお、寸法は、Ｌ１＝１７ｃｍ、Ｌ２＝２６ｃｍ、Ｗ１＝１０ｃｍ、Ｗ２＝６．５ｃｍ、Ｘ＝３ｍｍ、Ｓ＝１９ｍｍ（最短）〜２７ｍｍ（最長、前後端部）とした。そして、このサンプルを用いて下記のとおり動き追従性を評価した。
【００４５】
（動き追従性の評価）
(1)  風船を半径１０ｃｍの球状に膨らませる。
(2)  膨らませた風船内に、２５℃の常温水を１５７ｃｍ3入れる。これにより風船の容積の丁度半分が水により満たされる。
(3)  サンプルを広げ、トップシート側を上にして平坦面上に載置した後、その上に、サンプルの幅方向および長手方向中央に風船の下端を合わせるようにして風船を載置する。
(4)  サンプル上に載せた風船を、風船下端中央を中心として揺動させる。この際、揺動範囲は、鉛直方向に対してサンプル前側３０度の位置から後側３０度の位置までとし、１０秒間で１０回揺動（往復）させる。
(5)  風船を揺動させている間に、風船とサンプルの側縁との間に隙間が発生しないが観察し、動き追従性を評価する。
【００４６】
（実施例２）
図７に示すように、弾性伸縮部材５の前端部及び後端部が吸収体４と重なっておらず、内側弾性伸縮部材５の前後端は５ｍｍだけ、また外側弾性伸縮部材の前後端は２０ｍｍだけ吸収体から前後方向に離間していること以外は実施例１と同様のサンプルを製造し、評価を行った。
【００４７】
（比較例）
図８に示すように、括れ部分を有しないように両側縁が前後方向に沿って直線状をなす吸収体１０４を用いたこと、および内側の弾性伸縮部材５も外側と同様に前後方向に沿って直線状をなすように配置したこと以外は実施例２と同様にして、比較例を製造し評価を行った。
【００４８】
（評価結果）
各サンプルを評価した結果、実施例１では、風船揺動前・揺動中・揺動後の全てにおいて、図９に示すように全く隙間を生じず、高い追従性を示した。これに対して、実施例２では風船の揺動に伴い図１０に示すように前後側部分に隙間が発生した。また、比較例では図１１に示すように風船揺動前においても側縁全体に隙間が発生しており、風船を揺動すると更に隙間が大きくなり、動きに対する追従性が低かった。
【産業上の利用可能性】
【００４９】
本発明は、パンティライナー、生理用ナプキン、おりものシート、失禁パッド等の身体から排出される体液を吸収保持する身体装着品に適用できるものである。
【図面の簡単な説明】
【００５０】
【図１】本発明に係るパッド型吸収体例の展開図である。
【図２】図１のII−II断面図である。
【図３】図１のIII−III断面図である。
【図４】図６のIV−IV断面図である。
【図５】図６のＶ−Ｖ断面図である。
【図６】自身の変形作用のみによって変形した状態の平面図である。
【図７】実施例２のパッド型吸収体の展開図である。
【図８】比較例のパッド型吸収体の展開図である。
【図９】実施例１の観察結果を示す写真である。
【図１０】実施例２の観察結果を示す写真である。
【図１１】比較例の観察結果を示す写真である。
【符号の説明】
【００５１】
１…パッド型吸収性物品、２…バックシート、３…トップシート、４…吸収体、５…弾性伸縮部材、６…サイドシート、７Ａ，７Ｂ…サイド圧搾凹部、８Ａ，８Ｂ…前後圧搾凹部、９Ａ，９Ｂ…折り畳み線、１０…補強部材。
【図１】
2006122635.tif 000003
【図２】
2006122635.tif 000004
【図３】
2006122635.tif 000005
【図４】
2006122635.tif 000006
【図５】
2006122635.tif 000007
【図６】
2006122635.tif 000008
【図７】
2006122635.tif 000009
【図８】
2006122635.tif 000010
【図９】
2006122635.tif 000011
【図１０】
2006122635.tif 000012
【図１１】
2006122635.tif 000013